(57)【要約】【課題】本発明は、ロール状の形状とされたメモ用紙を、コストを抑制して製造可能としつつ、使用者の所望に応じた長さ分の紙材を紙片として分離することができるケース入り用紙の提供を目的とした。【解決手段】本発明のケース入り用紙１０は、帯状の紙材２２をロール状に巻き付けて形成されるロール体２０と、ロール体２０を、周方向への回転を許容しつつ収容するための外装体４０とを有し、外装体４０の全部又は一部が、可撓性を有する素材により構成されたものであり、外装体４０が、紙材２２を取り出し可能とする隙間６７として形成される取出口６６を備え、紙材２２を、取出口６６を介して外装体４０の外側へと引き出し可能であることを特徴とする。【選択図】図１
2018118756.tif 000002
【特許請求の範囲】
【請求項１】
帯状の紙材をロール状に巻き付けて形成されるロール体と、
前記ロール体を、周方向への回転を許容しつつ収容するための外装体とを有し、
前記外装体が、可撓性及び透光性を有するシート状部材を加工して形成されたものであり、
前記外装体が、前記紙材を取り出し可能とする隙間として形成される取出口を備え、
前記外装体が、前記シート状部材を組み立てた状態において、外側に配置される蓋部と、前記蓋部の内側を閉塞するように配置されるフラップとを有し、前記シート状部材を組み立てて前記外装体とされた状態において、前記フラップの端部が、前記ロール体の周方向に沿うように湾曲した輪郭を有するものであり、
前記外装体が、前記ロール体の外周を取り囲む周面を有し、前記周面には、前記ロール体の幅方向に延び、前記シート状部材を折り曲げることにより形成された稜線が設けられ、前記取出口が、前記稜線を外れた位置において、前記稜線に沿う方向に延びるように形成され、
前記周面において、前記取出口をなすスリットに対して隣接する領域に、前記スリットに対して交差する切り込みが設けられており、前記切り込みが、前記スリットに到達するように形成されたものであり、
前記紙材の表裏を構成する面のうちの少なくとも一方の面に装飾柄が付され、前記ロール体が、前記装飾柄が外側から視認可能なように前記紙材をロール状に巻き付けたものであり、
前記紙材には前記紙材の幅方向に沿うようにミシン目が設けられ、前記ミシン目が前記紙材の長手方向に沿って所定の間隔で設けられたものであることを特徴とするケース入り用紙。
【請求項２】
帯状の紙材をロール状に巻き付けて形成されるロール体と、
前記ロール体を、周方向への回転を許容しつつ収容するための外装体とを有し、
前記外装体の全部又は一部が、可撓性を有する素材により構成されたものであり、
前記外装体が、前記紙材を取り出し可能とする隙間として形成される取出口を備え、
前記紙材を、前記取出口を介して前記外装体の外側へと引き出し可能であることを特徴とするケース入り用紙。
【請求項３】
帯状の紙材をロール状に巻き付けて形成されるロール体と、
前記ロール体を、周方向への回転を許容しつつ収容するための外装体とを有し、
前記外装体が、前記紙材を取り出し可能とする隙間として形成される取出口を備え、
前記紙材を、前記取出口を介して前記外装体の外側へと引き出し可能であり、
前記外装体の全部又は一部が、透光性を有する素材により構成され、
前記紙材の表裏を構成する面のうちの少なくとも一方の面に、外観を装飾するための装飾柄が付され、
前記ロール体が、前記装飾柄のうち少なくとも一部を、前記外装体の外側から視認可能であることを特徴とするケース入り用紙。
【請求項４】
前記外装体が、前記ロール体の外周を取り囲む周面を有し、
前記周面には、前記ロール体の幅方向に延びる稜線が設けられ、
前記取出口が、前記稜線を外れた位置において、前記稜線に沿う方向に延びるように形成されていることを特徴とする請求項２又は３に記載のケース入り用紙。
【請求項５】
前記外装体が、シート状部材を加工して形成されたものであり、
前記稜線が、前記シート状部材を折り曲げることにより形成されたものであることを特徴とする請求項４に記載のケース入り用紙。
【請求項６】
前記外装体が、前記ロール体の外周を取り囲む周面を有し、
前記周面には、前記ロール体の幅方向に延びる稜線が設けられ、
前記外装体に押圧力を作用させることにより、前記取出口の開口をなす開口縁部のうち、前記稜線側とは反対側の開口縁部が前記外装体の外側に向けて弓なりに撓むように前記外装体を変形可能であることを特徴とする請求項２〜５のいずれかに記載のケース入り用紙。
【請求項７】
前記外装体が、前記ロール体の外周を取り囲む周面を有し、
前記周面において、前記取出口をなすスリットに対して隣接する領域に、前記スリットに対して交差する切り込みが設けられており、
前記切り込みが、前記スリットに到達するように形成されていることを特徴とする請求項２〜６のいずれかに記載のケース入り用紙。
【請求項８】
前記外装体が、可撓性及び透光性を有する１又は２以上のシート状部材を屈曲させて組み立てて構成されるものであり、
前記外装体が、前記シート状部材を組み立てた状態において、外側に配置される蓋部と、前記蓋部の内側を閉塞するように配置されるフラップとを有し、
前記シート状部材を組み立てて前記外装体とされた状態において、前記フラップの端部が、前記ロール体の周方向に沿うように湾曲した輪郭を有することを特徴とする請求項２〜７のいずれかに記載のケース入り用紙。
【請求項９】
前記紙材には前記紙材の幅方向に沿うようにミシン目が設けられ、前記ミシン目が前記紙材の長手方向に沿って所定の間隔で設けられたものであり、
前記ミシン目を示唆する目印が、前記ミシン目に隣接するように設けられたことを特徴とする請求項２〜８のいずれかに記載のケース入り用紙。
【発明の詳細な説明】
【技術分野】
【０００１】
本発明は、紙サンプル、メモ用紙等、各種用途に用いられるロール状の用紙に関する。
【背景技術】
【０００２】
近年では、伝言等を書き留めるためのメモ用紙や、レジ用紙、あるいは紙サンプル等として、様々な形態の用紙が提供されている。例えば、複数の紙片を積層させて外装ケースに収容したものや、複数の粘着層を有する紙片を積層させた付箋、ロール状に巻き付けされたもの等、多様な形状のものが提供されている。
【０００３】
帯状の紙片をロール状に巻回された用紙は、複数の紙片が散乱することがなく、また、使用者の所望に応じて所定の長さで切り取ることができる等、複数の紙片とされた用紙に比べて利点も多い。しかしながら、ロール状の形状であるが故に、紙材の巻き状態が弛む、あるいは紙材を巻き解いた状態において湾曲してしまうという問題もある。また、ロール状とされた紙材により形成されるロール体を過度に回転させると、使用者の所望の長さを超えて紙材が繰り出されることとなる。そのため、ロール状とされた用紙について、下記特許文献１のように、ロール体の回転をコントロール可能とする構造を有し、剛性を有する素材により構成される収納具にロール体を収容させたポイントメモ用紙及びその収容具が提案されている。
【０００４】
特許文献１に記載されたポイントメモ用紙及びその収容具のように、ロール状とされた紙材は、端部を牽引してロール体を回転させて巻き解かれて再び帯状の紙材とされる。すなわち、紙材を使用者の所望の長さとなるようにロール体を巻き解くため、ロール体の回転動作をコントロールする必要がある。そのため、外装ケースは、使用者の操作によりロール体を回転させて紙材を取出口から繰り出すような構造か、あるいは、ロール体の回転方向のうち紙材を繰り出す方向の回転を一定以上の張力が加えられた場合に許容するような構造か、いずれにしてもケース内部に収容されたロール体を保持する機構が必要となる。
【先行技術文献】
【特許文献】
【０００５】
【特許文献１】特開２００１−３１０５７９号公報
【発明の概要】
【発明が解決しようとする課題】
【０００６】
しかしながら、剛性を有する素材により外装ケースを構成した場合、上述のとおり、ロール体を外装ケースの内部で保持しつつ紙材を繰り出し可能とする構造が必要となる。また、外装ケースを、ロール体の大きさに応じて製造するか、又はロール体の大きさに応じて適合させる構造を有するものを製造する必要が生じる。これらの理由により、剛性を有する素材により構成される収容具は、安価に製造することが困難であるという課題があった。
【０００７】
そこで本発明は、ロール状の形状とされたメモ用紙を、コストを抑制して製造可能としつつ、使用者の所望に応じた長さ分の紙材を紙片として分離することができるケース入り用紙の提供を目的とした。
【課題を解決するための手段】
【０００８】
上述した課題を解決すべく提供される本発明のケース入り用紙は、帯状の紙材をロール状に巻き付けて形成されるロール体と、前記ロール体を、周方向への回転を許容しつつ収容するための外装体とを有し、前記外装体が、可撓性及び透光性を有するシート状部材を加工して形成されたものであり、前記外装体が、前記紙材を取り出し可能とする隙間として形成される取出口を備え、前記外装体が、前記シート状部材を組み立てた状態において、外側に配置される蓋部と、前記蓋部の内側を閉塞するように配置されるフラップとを有し、前記シート状部材を組み立てて前記外装体とされた状態において、前記フラップの端部が、前記ロール体の周方向に沿うように湾曲した輪郭を有するものであり、前記外装体が、前記ロール体の外周を取り囲む周面を有し、前記周面には、前記ロール体の幅方向に延び、前記シート状部材を折り曲げることにより形成された稜線が設けられ、前記取出口が、前記稜線を外れた位置において、前記稜線に沿う方向に延びるように形成され、前記周面において、前記取出口をなすスリットに対して隣接する領域に、前記スリットに対して交差する切り込みが設けられており、前記切り込みが、前記スリットに到達するように形成されたものであり、前記紙材の表裏を構成する面のうちの少なくとも一方の面に装飾柄が付され、前記ロール体が、前記装飾柄が外側から視認可能なように前記紙材をロール状に巻き付けたものであり、前記紙材には前記紙材の幅方向に沿うようにミシン目が設けられ、前記ミシン目が前記紙材の長手方向に沿って所定の間隔で設けられたものであることが望ましい。
【０００９】
上述した課題を解決すべく提供される本発明のケース入り用紙は、帯状の紙材をロール状に巻き付けて形成されるロール体と、前記ロール体を、周方向への回転を許容しつつ収容するための外装体とを有し、前記外装体の全部又は一部が、可撓性を有する素材により構成されたものであり、前記外装体が、前記紙材を取り出し可能とする隙間として形成される取出口を備え、前記紙材を、前記取出口を介して前記外装体の外側へと引き出し可能であることを特徴とするものである。
【００１０】
本発明によれば、使用者が外装体ごとロール体を保持して、ロール体の回転をコントロール（制御、抑制、制動）することができる。すなわち、可撓性を有する素材により外装体を構成することにより、外装体の一部又は全部を変形させて、内部に収容されたロール体を保持することができる。その結果、使用者がロール体の回転をコントロールしつつ、紙材を所望の長さで外装体から引き出すことができる。その結果、使用者は、ロール体とされた紙材の一部を所望の長さで紙片として分離させ、使用者の要望に応じた態様で好適に利用することができる。
【００１１】
本発明のケース入り用紙は、帯状の紙材をロール状に巻き付けて形成されるロール体と、前記ロール体を、周方向への回転を許容しつつ収容するための外装体とを有し、前記外装体が、前記紙材を取り出し可能とする隙間として形成される取出口を備え、前記紙材を、前記取出口を介して前記外装体の外側へと引き出し可能であり、前記外装体の全部又は一部が、透光性を有する素材により構成され、前記紙材の表裏を構成する面のうちの少なくとも一方の面に、外観を装飾するための装飾柄が付され、前記ロール体が、前記装飾柄のうち少なくとも一部を、前記外装体の外側から視認可能であることを特徴とするものである。
【００１２】
上述の構成によれば、外装体に収容された状態で、ロール体の装飾柄を視認することができる。これにより、透光性を有するシンプルな外装体とした場合に、ロール体の装飾柄を視認させて、ケース入り用紙の外観のデザイン性を高めることができる。
【００１３】
ところで、可撓性を有する素材により外装体を構成した場合、剛性を有する素材と比較して、外装体の稜線部分の端部や取出口の縁部等が裂ける、あるいは割れる等、外装体が破損するおそれが高まる。例えば、使用者がロール体から紙材を所定の長さに分離させようとする場合において、取出口から取り出された紙材を、取出口の縁部に当接させながら所定の長さに分離させようとすることが想定される。特に、取出口がスリットにより形成される隙間として形成されている場合には、スリットの経路が屈曲する部分や端部に負荷がかかり、外装体の破損する原因となることが想定される。また、コストを抑えて外装体を製造しようとする場合には、取出口に追加の補強構造を設けずに、取出口の破損を回避することが求められる。そのため、取出口は、使用者が取出口に紙材を当接させることなく紙材を分離させようとする心理作用が働くような位置や形状等とされることが望ましい。
【００１４】
ここで、本発明の発明者が鋭意検討した結果、取出口を外装体の稜線と合致する位置に設けると、取出口の縁部に紙材を当接させて分離させようとする動機となり、外装体の破損の原因となることが判明した。その一方で、取出口を外装体の周面上であって稜線から外れた位置に設けると、使用者が取出口に紙材を当接させて分離させようとする心理作用が低下するとの知見に至った。
【００１５】
本発明のケース入り用紙は、前記外装体が、前記ロール体の外周を取り囲む周面を有し、前記周面には、前記ロール体の幅方向に延びる稜線が設けられ、前記取出口が、前記稜線を外れた位置において、前記稜線に沿う方向に延びるように形成されていることが望ましい。
【００１６】
上述の構成によれば、取出口が設置面と近接するようにケース入り用紙を置いた場合において、使用者が取出口に紙材を当接させて紙材の一部を分離させようとする心理作用を低下させて、外装体の破損の原因を回避することができる。
【００１７】
また、上述の構成によれば、取出口に近接する稜線が設置面と接触するように外装体を設置させた場合、外装体の外側に引き出された紙材の端部が設置面から少し上方に浮いたような姿勢となる。これにより、紙材の端部を指で掴みやすくなり、紙材を引き出しやすくなる。特に、厚みの少ない紙材や、コシの少ない紙材の場合、設置面よりも少し浮かせて指で掴みやすくなる。
【００１８】
本発明のケース入り用紙は、前記外装体が、シート状部材を加工して形成されたものであり、前記稜線が、前記シート状部材を折り曲げることにより形成されたものであることが望ましい。
【００１９】
上述の構成によれば、折り目により外装体の稜線部分の強度を高めることができる。すなわち、使用者が取出口の縁部に紙材を当接させて紙材を切り離ししようとした場合に、取出口と近接する当該稜線に負荷がかかることとなるが、このような負荷による破損を低減することができる。
【００２０】
ここで、一旦ロール体として保持された紙材は、紙材の材質や厚みによってはロール体から巻き解かれた状態においても巻きぐせが残り、長手方向に湾曲するような姿勢となる。本発明の発明者の鋭意検討の結果、このような湾曲した姿勢の紙材に対して、取出口の縁部を弓状の形状として紙材と接触させると、適度な紙材への接触圧としつつ、取出口から引き出された紙材の湾曲形状を緩和させた姿勢とすることができるとの知見に至った。
【００２１】
かかる知見に基づいて提供される本発明のケース入り用紙は、前記外装体が、前記ロール体の外周を取り囲む周面を有し、前記周面には、前記ロール体の幅方向に延びる稜線が設けられ、前記取出口の開口をなす開口縁部のうち、前記稜線側とは反対側の開口縁部が、前記外装体の外側に向けて弓なりに撓んで形成されるものである。
【００２２】
上述の構成によれば、湾曲した姿勢の紙材に対して取出口を適度な接触圧を与えつつ、取出口から引き出された紙材の湾曲形状を緩和させた姿勢とすることができる。
【００２３】
ここで、本発明のケース入り用紙を使用する場合には、ロール体とされた紙材の端部を取出口に挿通させる必要がある。例えば、一旦ロール体を外装体から取り出して再び収容する場合には、紙材の端部を外装体の内側から外側へと挿通させる必要がある。このような場合に、紙材の引き出し動作を容易とするためには、取出口の隙間の開口範囲を拡張可能とされることが望ましい。
【００２４】
本発明のケース入り用紙は、前記外装体が、前記ロール体の外周を取り囲む周面を有し、前記周面には、前記ロール体の幅方向に延びる稜線が設けられ、前記外装体に押圧力を作用させることにより、前記取出口の開口をなす開口縁部のうち、前記稜線側とは反対側の開口縁部が前記外装体の外側に向けて弓なりに撓むように前記外装体を変形可能であるものであることが望ましい。
【００２５】
上述の構成によれば、取出口の隙間の開口範囲を拡張することができる。これにより、ロール体を外装体の内部に収容して紙材の端部を外装体の内側から外側へと引き出す場合に、取出口の開口範囲を広げて紙材の端部を難なく挿通させることができる。
【００２６】
また、上述の構成によれば、弓状とされた取出口の開口縁部が自由端とされる。そのため、自由端とされた開口縁部の弾性力により、紙材に対して適度な接触圧で接触させることができる。
【００２７】
上述のとおり、本発明のケース入り用紙は、ロール体の外側に装飾柄を配置しつつ、透光性を有する素材により外装体を構成し、デザイン性の高い外観とすることが望ましい。ここで、外装体のコストを抑制しつつ内部のロール体の視認性を高めようとする場合には、透光性を有するシート状部材を組み立てて箱形の外装体を構成することが望ましい。このようなシート状部材による箱形の外装体の多くは、外側に配置される蓋部と、内側に配置される蓋片として、いわゆるフラップが設けられる。
【００２８】
上述したフラップは、箱体の蓋構造や強度維持の観点から設けられるものではあるが、透光性を有するシート状部材により箱体を構成する場合には、フラップの輪郭が箱体の外側から透けて見えることとなる。そのため、フラップを設けた外装体は、強度を維持することができる一方で、フラップの輪郭によりケース入り用紙のデザイン性を阻害するといった問題が生じる。
【００２９】
本発明のケース入り用紙は、前記外装体が、可撓性及び透光性を有する１又は２以上のシート状部材を屈曲させて組み立てて構成されるものであり、前記外装体が、前記シート状部材を組み立てた状態において、外側に配置される蓋部と、前記蓋部の内側を閉塞するように配置されるフラップとを有し、前記シート状部材を組み立てて前記外装体とされた状態において、前記フラップの端部が、前記ロール体の周方向に沿うように湾曲した輪郭を有することが望ましい。
【００３０】
上述の構成によれば、透光性を有する素材により外装体を構成しつつフラップを設ける場合であっても、フラップの輪郭がロール体の円形面の稜線と馴染むように配置される。すなわち、外装体及びロール体が構成するデザイン性を阻害しないような外観とすることができる。これにより、さらにデザイン性の高いケース入り用紙を提供することができる。
【００３１】
本発明のケース入り用紙は、前記紙材には前記紙材の幅方向に沿うようにミシン目が設けられ、前記ミシン目が前記紙材の長手方向に沿って所定の間隔で設けられたものであり、前記ミシン目を示唆する目印が、前記ミシン目に隣接するように設けられることが望ましい。
【００３２】
上述の構成によれば、紙材の切り離しを容易に行うことができる。また、ミシン目が見えにくい場合であっても、目印を設けることで切り離し部分（ミシン目の位置）を示唆することができる。これにより、さらに容易に紙材を切り離して紙片とし、メモ用紙として好適に用いることができる。
【発明の効果】
【００３３】
本発明によれば、ロール状の形状とされたメモ用紙を、コストを抑制して製造可能としつつ、使用者の所望に応じた長さ分の紙材を紙片として分離することができるケース入り用紙を提供することができる。
【図面の簡単な説明】
【００３４】
【図１】本発明の一実施形態に係るケース入り用紙の外観を示す斜視図である。
【図２】図１のケース入り用紙のロール体を示す斜視図である。
【図３】図１のケース入り用紙のシート状部材を示す平面図である。
【図４】図１のケース入り用紙の外装体を示す斜視図である。
【図５】図１のケース入り用紙の取出口形成領域を示している。（ａ）は正面図、（ｂ）は平面図、（ｃ）は斜視図である。
【図６】図１のケース入り用紙の紙材の姿勢を示している。（ａ）は斜視図、（ｂ）は側面を示す概念図である。
【図７】（ａ−１）は図１のケース入り用紙のフラップの配置を示す分解斜視図、（ａ−２）は図１のケース入り用紙のロール体及びフラップの輪郭を示す側面図、（ｂ）は図１のケース入り用紙の取出口の開口範囲を拡張させた状態を示す側面概念図である。
【図８】図１のケース入り用紙を使用する場合において、外装体を変形させながらロール体を保持する場合を示している。（ａ）は上方よりケース入り用紙を設置面に対して押し付けながらロール体を保持する場合の側面を示す概念図、（ｂ）はケース入り用紙の側面両側からロール体を保持する場合の平面を示す概念図である。
【発明を実施するための形態】
【００３５】
以下、図面を参照しつつ、本発明の一実施形態に係るケース入り用紙１０について具体的に説明する。
【００３６】
図１に示すとおり、ケース入り用紙１０は、ロール体２０と、外装体４０とを有している。ケース入り用紙１０は、ロール体２０を外装体４０に収容させて、図１に示すような外観とされる。ロール体２０は、帯状の紙材２２を巻き付けてロール状の形状を形成されている。ケース入り用紙１０は、ロール体２０とされた紙材２２の一部を外装体４０の外側へと取り出して切り離し、紙片３２とすることができる。
【００３７】
本発明のケース入り用紙は、紙片３２を、メモ用紙、紙サンプル等、使用者がメモを書き留めるための用紙や使用者が他の者に配布する紙片等、使用者の要望に応じて様々な用途に用いることができる。なお、本実施形態におけるケース入り用紙１０は、紙片３２をメモ用紙として利用可能とされている。
【００３８】
なお、以下の説明において、紙材２２の長手方向の両端部のうち、ロール体２０の中心側とされる側の端部を「基端」と称して説明し、他方の自由端とされた側の端部を「他端」と称して説明する。
【００３９】
図１及び図２に示すとおり、ロール体２０は、帯状とされた紙材２２がロール状に巻き付けられて、略円柱状の外観を形成している。ロール体２０は、紙芯を備え当該紙芯に対して紙材２２をロール状に巻き付けたものであってもよいし、紙芯を備えずに紙材２２をロール状に巻き付けされたものであってもよい。なお、本実施形態におけるロール体２０は、紙芯を備えずに紙材２２をロール状に巻き付けされている。これにより、本実施形態におけるケース入り用紙１０は、さらに外観のデザイン性を阻害しないものとされている。紙材２２は、長手方向の両端部のうち、基端側がロール体２０の中心となるように巻き付けられ、他端側はロール体２０の外側に配置されて自由端とされている。
【００４０】
紙材２２は、帯状に延びる１枚のシート状の紙質素材により構成されている。紙材２２は、ボールペン、鉛筆、サインペン等の筆記具により文字等を書き入れることができるものであって、ロール状に巻き付け可能とされたものであれば、いかなる紙質素材により構成されていてもよい。紙材２２の紙質素材として、上質紙、コート紙、感熱紙、色上質紙、インクジェット紙等を用いることができる。なお、紙材２２は、ケース入り用紙１０の用途に応じて選択されることが望ましい。例えば、紙片３２をメモ用紙として用いられることが想定されるケース入り用紙である場合には、筆記具による書き入れのし易さ及びコストの観点から、色上質を含む上質紙により紙材２２を構成することが望ましい。また、紙片３２を紙サンプルとして用いようとする場合には、サンプル紙の対象とされる紙質素材が用いられることが望ましい。なお、本実施形態においては、紙材２２として上質紙が採用されている。
【００４１】
また、本発明のケース入り用紙は、紙材２２に対して用途に応じて印刷や加工を施すことができる。具体的には、本発明のケース入り用紙は、紙材２２に対して印刷が施されたものであってもよいし、紙材２２に対して型を押圧加工（いわゆるエンボス加工）し、紙材２２の表面に凹凸による模様が施されたものであってもよい。また、紙材２２に箔押しによる模様等が施されたものであってもよいし、透かし加工により模様等が施された紙材２２を用いてもよい。このように、紙材２２に施される模様や図柄は、印刷や加工によるもの（以下、「印刷等」とも称す）を種々選択可能である。紙材２２は、表面及び裏面の双方又は一方に印刷等が施されたものであってもよいし、あるいは表面及び裏面のいずれにも印刷等が施されていないものとしてもよい。なお、後に詳述するとおり、本実施形態の紙材２２には、表面及び裏面の双方に対してそれぞれ所定の印刷等が施された構成とされている。
【００４２】
図２に示すとおり、紙材２２には、ミシン目２４、罫線２６、目印２８及び装飾柄３０が設けられている。紙材２２は、ミシン目２４に沿って一部が分離され、紙片３２とされる。また、罫線２６、目印２８及び装飾柄３０は、印刷、あるいは加工による図柄、模様、文字及び色彩のうちから選択されて組み合わせられた印刷図柄として、紙材２２に設けられている。
【００４３】
紙材２２は、紙材２２の表裏を構成する面のうち、一方の面が意匠面２２ａとされ、他方の面がメモ用紙面２２ｂとされている。装飾柄３０は紙材２２の意匠面２２ａに対して設けられ、罫線２６及び目印２８はメモ用紙面２２ｂに対して設けられている。
【００４４】
ミシン目２４は、紙材２２をメモ用紙等として用いようとする際に、使用者が紙材２２を切り取って、所望の長さの紙片３２の状態で使用できるようにするものである。ミシン目２４は、紙材２２の幅方向に沿うように設けられている。ミシン目２４は、紙材２２の幅方向の一端側から他端側に亘って設けられている。また、ミシン目２４は、紙材２２の長手方向（巻き方向）に所定の間隔Ｐ毎に設けられている。
【００４５】
装飾柄３０は、ケース入り用紙１０、ロール体２０あるいは紙片３２の外観を装飾するための柄を含む印刷図柄として設けられている。装飾柄３０は、各種の模様、図柄、文字、あるいは色彩等のうちから、選択されて組み合わせられた図柄を構成することが可能である。装飾柄３０は、ケース入り用紙１０の用途に応じて模様、あるいは文字等の図柄が選択されて組み合わせられることが望ましい。なお、本実施形態では、装飾柄３０を、いわゆるチェック柄を構成するような模様や線が選択され組み合わせられた図柄として設けられている。また、装飾柄３０は、いかなる模様や色彩により構成されていてもよい。また、文字を含む装飾柄３０としてもよい。
【００４６】
罫線２６は、使用者が紙片３２に文字を書き留める際の文字の行間のガイド線として活用するためのものである。なお、本実施形態では紙材２２に罫線２６を設けた構成としたが、罫線２６を設けないものとしてもよい。また、紙材２２は、罫線２６に換えて枠線を形成する模様や図柄が設けられたものとしてもよいし、あるいは、紙材２２の表裏を構成する面の双方に同一の図柄等が設けられたものとしてもよい。
【００４７】
目印２８は、ミシン目２４が設けられた位置の近傍に設けられている。そのため、目印２８により、ミシン目２４の存在を示唆することができる。目印２８は、文字やロゴマーク等、いかなる印刷図柄であってもよい。なお、本実施形態の紙材２２は、目印２８を設けた例を示したが、紙材２２は目印２８を有さないものとしてもよい。
【００４８】
上述のように、紙材２２は、表裏を構成する面のうち、一方の面が装飾柄３０を有する意匠面２２ａとされ、他方の面が罫線２６及び目印２８が設けられたメモ用紙面２２ｂとされている。紙材２２は、意匠面２２ａが外側となるようにロール状に巻き付けられて、ロール体２０として形成される。そのため、ロール体２０は、装飾柄３０が視認されやすい位置に配され、高いデザイン性を有する外観を構成することができる。
【００４９】
また、紙材２２は、ミシン目２４を境界として分離することができる。ここで、紙質材料、あるいは紙材２２の紙色や付された図柄によっては、ミシン目２４が視認し難い場合が想定される。上述のとおり、本実施形態における紙材２２には、ミシン目２４に隣接するように、ミシン目２４の存在を示唆する目印２８が設けられている。そのため、ミシン目２４が見えにくい場合であっても、目印２８を分離させようとする位置の目安とすることができる。
【００５０】
紙材２２から分離された紙片３２は、文字を書き留めるためのメモ用紙、あるいは、紙サンプルをして他の使用者に引き渡すサンプル紙等、使用者の要望に応じた紙片３２として種々の形態で利用することができる。
【００５１】
続いて、外装体４０の各構成について、図面を参照しつつ詳細に説明する。外装体４０は、ロール体２０を収容するための外装ケースとして設けられている。外装体４０は、図３に示すシート状部材４２を折り曲げて組み立てることにより、図１及び図４に示すような六面体の外観を有する箱体として構成される。
【００５２】
シート状部材４２は、可撓性及び透光性を有する樹脂製のシート部材である。シート状部材４２は、展開させた状態において、図３に示すような平面形状を有している。シート状部材４２は、複数の折り目４３に沿って屈曲させて組み立てられて、六面体の外観を有する箱体の外装体４０として形成される。なお、シート状部材４２は、１のシート片により構成されていてもよいし、あるいは、２以上のシート片を接着又は溶着により連結されたものにより構成されていてもよい。
【００５３】
また、外装体４０は、紙、樹脂素材等のシート状の部材を組み立てて収容体として組み立てられるものであってもよいし、あるいは、成型されて立体的な形状を構成するものであってもよい。また、複数のシート状部材４２を組み立てて、１つの外装体４０を構成するものとしてもよい。
【００５４】
さらに、外装体４０は、ロール体２０を収容することができるものであれば、いかなる形状であってもよい。例えば、外装体４０を、円柱状の外観を有するものや、半円状の断面形状を有するもの、三角柱などのように多角形の断面形状を有するものとしてもよい。
【００５５】
外装体４０は、可撓性を有するシート状部材４２より構成されている。そのため、使用者が外装体４０を手で握ったり押圧するなどして軽い外力を加えるだけで弾性変形させることができる。また、外装体４０は、透光性を有するシート状部材４２により構成されている。これにより、内部に収容されたロール体２０が外装体４０の外側から見える。そのため、使用者は、ロール体２０の表面に描かれた意匠面２２ａに施された装飾が外装体４０の外側から見える。
【００５６】
外装体４０は、ロール体２０を収容しつつ、ロール体２０を内部で周方向に回転させることができるものとされている。図４に示すとおり、外装体４０は、収容部４４（周面）と、蓋部４６，４８と、フラップ５０，５１，５２，５３とを有している。また、収容部４４には、取出口６６が設けられている。
【００５７】
収容部４４には、シート状部材４２の折り目４３により形成された複数の稜線を有する。これらの稜線には、外装体４０に収容されたロール体２０の軸線方向に延びる４本の稜線Ｒ１，Ｒ２，Ｒ３，Ｒ４が含まれている。外装体４０において、ロール体２０の外周に沿って設けられた面（周面）は、稜線Ｒ１，Ｒ２，Ｒ３，Ｒ４により４つの領域に区画されている。具体的には、図１や図４に示すように、稜線Ｒ１，Ｒ２の間に形成された正面４０ａ（以下、「取出口形成領域５８」とも称す）、稜線Ｒ２，Ｒ３の間に形成された天面４０ｂ、稜線Ｒ３，Ｒ４の間に形成された背面４０ｃ、及び稜線Ｒ４，Ｒ１の間に形成された底面４０ｄの４面に区画されている。正面４０ａ、天面４０ｂ、背面４０ｃ、及び底面４０ｄは、いずれも略矩形（本実施形態では略正方形）とされている。
【００５８】
また、図１に示すように、稜線Ｒ１，Ｒ２，Ｒ３，Ｒ４の一端側及び他端側には、側面４０ｅ，４０ｆが設けられている。側面４０ｅ，４０ｆは、それぞれ蓋部４６，４８及びフラップ５０，５１，５２，５３を組み立て、収容部４４の両側方に形成される開口部分を閉じることにより形成される。具体的には、フラップ５０，５１，５２，５３を収容部４４の両側方に形成される開口部分の内側に折り畳んだ後、フラップ５０，５１やフラップ５２，５３に被さるように蓋部４６，４８を装着することにより、側面４０ｅ，４０ｆが閉塞された状態になる。
【００５９】
図３等に示すとおり、フラップ５０，５１，５２，５３の端部は、略半円形状をなす輪郭とされている。そのため、フラップ５０とフラップ５１とを、開口５４の対向する位置から閉塞するように重ね合わせると、フラップ５０及びフラップ５１の半円形状の輪郭が重なり、略円形の形状をなす輪郭のように視認される。また、同様にフラップ５２とフラップ５３とを、開口５６の対向する位置から閉塞するように重ね合わせると、フラップ５２及びフラップ５３の半円形状の輪郭が重なり、略円形の形状をなす輪郭のように視認される。
【００６０】
取出口６６は、外装体４０の正面４０ａに設けられている。取出口６６は、ロール体２０をなす紙材２２の端部を外装体４０の内側から外側に取り出すための開口である。
【００６１】
図５（ａ）に示すとおり、取出口６６は、収容部４４に設けられたスリット６８によって構成されている。スリット６８は、収容部４４の軸線方向全長に亘って形成されている。スリット６８をなす開口は、稜線Ｒ１側において正面４０ａの幅方向に延びる開口縁部７０ａと、これに対してスリット６８をなす隙間６７を介して対向するように設けられた開口縁部７０ｂとを有する。
【００６２】
図５（ａ）及び（ｃ）に示すとおり、取出口６６は、正面４０ａ（取出口形成領域５８）において、収容部４４の稜線Ｒ１から僅かに稜線Ｒ２側に外れた位置に設けられている。言い換えれば、取出口６６は、正面４０ａにおいて、稜線Ｒ１側に偏在した領域において稜線Ｒ１に隣接する位置（稜線Ｒ１から間隔ｄ１分隔てた位置）に形成されている。正面４０ａ（取出口形成領域５８）の稜線Ｒ１から稜線Ｒ２までの距離を間隔ｄ２とした場合、稜線Ｒ１から取出口６６までの間隔ｄ１は、間隔ｄ２の１／４〜１／１２程度とされることが望ましい。さらには、取出口６６は、間隔ｄ１が３〜１５ｍｍ、より好ましくは４〜６ｍｍとして設けられることが望ましい。なお、本実施形態では、間隔ｄ２が約６５ｍｍとされ、間隔ｄ１が約５ｍｍとされている。
【００６３】
別の観点から取出口６６について検討すると、図５等に示すように、取出口６６は、正面４０ａ（取出口形成領域５８）を、二つの領域に区画するように形成されている。具体的には、取出口６６は、正面４０ａ（取出口形成領域５８）を、稜線Ｒ１側の領域である第一領域７２と、稜線Ｒ２側の領域である第二領域７４とに区画している。
【００６４】
第一領域７２は、図５（ａ）に示すとおり、第一領域７２を形成する縁Ａ〜Ｄのうち、縁Ａがスリット６８の開口縁部７０ａとされ、縁Ｂ〜Ｄがシート状部材４２の折り目４３の一部により形成されている。より具体的には、縁Ｂは収容部４４とフラップ５２とを区画する折り目４３とされ、縁Ｃは収容部４４とフラップ５０とを区画する折り目４３とされ、縁Ｄは収容部４４の取出口形成領域５８と隣接する領域とを区画する折り目４３とされている。すなわち、第一領域７２は、四方を取り囲む縁のうち、三方がシート状部材４２の折り目４３により形成されている。そのため、第一領域７２は、外装体４０のなす箱体のうち、強度が確保されている。
【００６５】
第二領域７４は、図５（ａ）に示すとおり、第二領域７４を形成する４つの縁Ｅ〜縁Ｈのうち、縁Ｅがスリット６８の開口縁部７０ｂとされ、縁Ｆ〜Ｈが折り目４３により形成されている。より具体的には、縁Ｆは収容部４４とフラップ５２とを区画する折り目４３とされ、縁Ｇは収容部４４とフラップ５０とを区画する折り目４３とされ、縁Ｈは収容部４４の取出口形成領域５８と隣接する領域とを区画する折り目４３とされている。ここで、縁Ｈ（稜線Ｒ２）と縁Ｅ（開口縁部７０ｂ）との間隔は、縁Ｄ（稜線Ｒ１）と縁Ａ（開口縁部７０ａ）との間隔（ｄ１）と比較すると、大きく離間する距離とされている。そのため、図５（ｂ）に示すように、第二領域７４のうち解放された端部である縁Ｅ（開口縁部７０ｂ）は、シート状部材４２の可撓性により外装体４０の外側に向けて弓なりに湾曲した形状となり、弓状部８２として形成される。
【００６６】
収容部４４には、第二領域７４側（稜線Ｒ２側）から取出口６６をなすスリット６８（稜線Ｒ１側）に向けて切れ目７６ａ，７６ｂ（切り込み）が形成されている。切れ目７６ａ，７６ｂは、それぞれスリット６８の両端部に形成されている。そのため、スリット６８及び切れ目７６ａ，７６ｂが連続して、「コ」の字状の切り込みが正面４０ａ（取出口形成領域５８）に形成されている。スリット６８及び切れ目７６ａ，７６ｂにより囲まれた領域（以下、「第三領域７８」ともいう）は、スリット６８側の部分が自由端８０とされている。そのため、図６等に示すように、取出口６６から紙材２２を取り出すなどして自由端８０に接触すると、紙材２２に追従して自由端８０が外装体４０の外側に撓んだ状態になる。また、使用者が外装体４０を掴むなどして側面４０ｅ，４０ｆが近接するように外装体４０を変形させることによっても、自由端８０が外装体４０の外側に向けて弓状に撓んだ状態になる。
【００６７】
次に、外装体４０にロール体２０を収容させた状態におけるケース入り用紙１０の外観及び使用方法等について説明する。
【００６８】
図６（ａ）に示すとおり、ロール体２０は、外装体４０に収容された状態において、幅方向に位置決めされつつ、周方向への回転を許容されるように姿勢を維持して収容される。より具体的には、ロール体２０は、外装体４０の軸線方向に位置決めされた状態で外装体４０の内部に収容され、ロール体２０の周方向のうち正方向及び逆方向への回転が許容されるように外装体４０に収容される。図６（ａ）に示すとおり、紙材２２の他端側を外装体４０の外側へ牽引すると、ロール体２０は正方向に回転しつつ紙材２２が取出口６６から繰り出される。なお、外装体４０の蓋部４６を開放させてロール体２０を逆方向に回転させると、取出口６６から繰り出された紙材２２が再びロール体２０に巻き戻される。
【００６９】
ケース入り用紙１０は、ロール体２０が外装体４０に収容されている。そのため、ロール体２０の巻き付け状態が弛んでも、紙材２２は外装体４０の収容部４４の範囲を超えて巻き解けない。
【００７０】
ロール体２０は、上述のとおり、外側に意匠面２２ａが配置されるように紙材２２を巻き付けたものとされている。また、外装体４０は透光性を有する素材により構成されている。そのため、ケース入り用紙１０を外側から視認すると、意匠面２２ａに設けられた装飾柄３０（図６においては図示を省略）を視認することができる。これにより、ケース入り用紙１０は、装飾柄３０による装飾効果により、デザイン性の高い外観を構成することができる。
【００７１】
さらに、外装体４０は、上述のとおり、フラップ５０，５１，５２，５３の自由端側の輪郭が略半円形の形状とされている。そのため、図７（ａ−１）に示すように、外装体４０の内部にロール体２０を収容させて、フラップ５０，５１，５２，５３により開口５４，５６を閉塞させると、図７（ａ−２）に示すようにフラップ５０，５１，５２，５３の輪郭とロール体２０の輪郭とが略合致するように視認される。すなわち、フラップ５０，５１，５２，５３を形成する輪郭のうち視認されやすい部分が、ロール体２０の円形面の輪郭と沿うように配置され、フラップ５０，５１，５２，５３の輪郭が目立たない。これにより、透光性を有する素材により外装体４０を構成しつつフラップ５０，５１，５２，５３を設けた構成としても、ケース入り用紙１０の外観デザインを阻害しない。従って、フラップ５０，５１，５２，５３の形状を上述したようなものとすることにより、より一層デザイン性の高い外観を構成することができる。
【００７２】
上述のとおり、外装体４０には、稜線Ｒ１から外れた位置に取出口６６が設けられている。図６（ｂ）に示すように、稜線Ｒ１が設置面９０と接触するようにケース入り用紙１０を設置した状態において、取出口６６は、設置面９０よりやや上方に配置される。そのため、取出口６６から引き出された紙材２２は、設置面９０に対して、少し離間して浮いたような姿勢となる。これにより、ケース入り用紙１０は、外装体４０の外側へ引き出された紙材２２を指で摘みやすく、容易に引き出すことができる。
【００７３】
また、図６（ａ）及び（ｂ）に示すように、紙材２２の材質や厚みによっては、あるいはロール体２０の巻き中心に近い部分の紙材２２は、外装体４０から引き出された紙材２２にロール状の巻き戻しぐせが付くことが想定される。このような巻きぐせが付いた紙材２２を取出口６６から引き出すと、ロール体２０の湾曲形状に従うように、紙材２２は他端側が上方に湾曲するような姿勢となる。
【００７４】
仮に、取出口６６を弓状部８２が形成されずに直線的な縁部とされる場合には、紙材２２は、図６（ｂ）の仮想線で示す紙材２２’のように、さらに上方に湾曲するような姿勢となる。
【００７５】
上述のとおり、本実施形態における外装体４０には、取出口６６の第一領域７２側の開口縁部７０ｂが、弓状の形状をなす弓状部８２とされている。そのため、図６（ａ）に示すとおり、取出口６６に隣接する紙材２２は、下方側（意匠面２２ａ側）が開口縁部７０ａと当接し、上方側（メモ用紙面２２ｂ側）が開口縁部７０ｂと当接して支持される。また、第三領域７８が外側に向けて膨出して弓状部８２が形成された状態になると、最大でその膨出分（図６（ａ）の距離Ｉに相当）だけ正面４０ａ（取出口形成領域５８）から離れた位置において紙材２２に当接する。
【００７６】
ここで、上述した弓状部８２が形成されない場合は、図６（ｂ）に仮想線で示した紙材２２’のように、上方に向けて大きく湾曲（カール）した状態で取出口６６から取り出された状態になると想定される。これに対し、上述した弓状部８２が形成されると、正面４０ａよりも離れた位置において弓状部８２が紙材２２に当接することになるため、その分だけ紙材２２の上方への湾曲が緩和され、やや水平方向に向くような姿勢となる。その結果、使用者が取出口６６に近接する紙材２２を持ちやすく、容易に引き出すことができる。
【００７７】
次に、外装体４０に収容されたロール体２０から、紙材２２の端部を引き出す動作について説明する。上述のとおり、外装体４０は、可撓性を有するシート状部材４２により構成されている。そのため、使用者は、ロール体２０を収容させた外装体４０を掴んだり、設置面９０に向けて天面４０ｂを押し付ける等してロール体２０を固定又は保持することができる。
【００７８】
図８（ａ）は、使用者が所望の長さ分の紙材２２を外装体４０の外側へと引き出そうとする場合の一例である。図８（ａ）に示すように、使用者は、外装体４０ごとロール体２０を上方から押さえつけて、ロール体２０を保持しながら紙材２２を引き出すことができる。すなわち、使用者は外装体４０の収容部４４を内側に変形させてロール体２０を保持し、ロール体２０の正方向への回転を制動することができる。これにより、ケース入り用紙１０は、ロール体２０の回転を制動する部材を別途設けることなく、所望の長さ分の紙材２２を引き出すことができる。
【００７９】
また、例えば図８（ｂ）に示すように、使用者は外装体４０の軸方向の両側面を近接させるように外装体４０ごとロール体２０を保持することができる。すなわち、使用者は外装体４０の軸線方向の両側面を内側に変形させてロール体２０を保持し、ロール体２０の正方向への回転を制動することができる。これにより、ケース入り用紙１０は、ロール体２０の回転を制動する部材を別途設けることなく、所望の長さ分の紙材２２を引き出すことができる。
【００８０】
このように、ケース入り用紙１０は、可撓性を有する素材により外装体４０を構成することで、外装体４０に収容された状態のロール体２０を保持可能とされている。そのため、使用者がロール体２０を保持して、ロール体２０の回転をコントロールしつつ、紙材２２の端部を引き出して切り離し可能とされている。
【００８１】
さらに、紙材２２には、上述のとおり、ミシン目２４が設けられている。外装体４０の外側に引き出された紙材２２は、ミシン目２４に沿ってロール体２０から分離させて、紙片３２とすることができる。また、紙材２２には、ミシン目２４に近接するように、目印２８が設けられている。そのため、図８（ｂ）に示すように、使用者は、ミシン目２４が見えにくい場合でも、目印２８を目安として紙材２２を切り離すことができる。
【００８２】
このように、ケース入り用紙１０は、ロール体２０の回転を制動するための部材や構造を別途設けることを要さず、所望の長さ分の紙材２２を外装体４０から引き出し、紙片３２として分離させることができる。
【００８３】
以上、本発明の一実施形態に係るケース入り用紙１０について説明したが、本発明はこれに限定されない。
【００８４】
上述の実施形態においては、取出口６６をスリット６８及び切れ目７６ａ，７６ｂを有するものとしたが、取出口を略矩形の開口形状を有するものとしてもよい。
【００８５】
また、上述の実施形態においては、フラップ５０，５１，５２，５３に隣接する領域に取出口が形成された例を示したが、取出口を蓋部４６，４８と隣接する領域に設ける構成としてもよい。
【００８６】
さらに、上述の実施形態においては、透光性を有する無地のシート状素材を用いてシート状部材４２を構成し、模様等を有しない外装体４０とした例を示したが、外装体４０に所定の模様や文字を設けたものとしてもよい。
【産業上の利用可能性】
【００８７】
本発明のケース入り用紙は、紙サンプル、メモ用紙等、各種用途に用いられるロール状の用紙として好適に活用することができる。
【符号の説明】
【００８８】
１０                    ケース入り用紙
２０                    ロール体
２２                    紙材
２４                    ミシン目
２８                    目印
３０                    装飾柄
３２                    紙片
４０                    外装体
４２                    シート状部材
４３                    折り目
４４                    本体部（周面）
５０，５１，５２，５３  フラップ
６６                    取出口
６７                    隙間
６８                    スリット
７０ａ，７０ｂ          開口縁部
７６ａ，７６ｂ          切れ目（切り込み）
Ｒ１                    稜線
【図１】
2018118756.tif 000003
【図２】
2018118756.tif 000004
【図３】
2018118756.tif 000005
【図４】
2018118756.tif 000006
【図５】
2018118756.tif 000007
【図６】
2018118756.tif 000008
【図７】
2018118756.tif 000009
【図８】
2018118756.tif 000010